(57)【要約】  【課題】  ユーザが指示したテレビジョン放送の表示画像を適切に記録メディアに記録できるテレビジョン受像機および映像信号処理方法を提供することにある。  【解決手段】  ユーザはモニタ４に表示された画像を見て、記録の必要があると判断した場合は、リモコン１１を用いて、その画像を記録するようテレビジョン受像機１に指示する。リモコン信号受信部９は、リモコン１１からの信号を受信し、当該指示を制御部８に伝える。制御部８は、この信号を受信すると、映像信号入力制御部２に対して、所定の期間、新たな映像信号１０を映像信号コンバータ３に送信しないよう制御する。映像信号コンバータ３は、これにより、ユーザが記録しようとする画像データを持ち続けることになる。この間に、画像保持メモリ５は、映像信号コンバータ３の画像データを取り込み、こうして取り込まれた画像データが最終的に記録メディア１２に書き出される。【選択図】  図１
2005094388.tif 000002
【特許請求の範囲】
【請求項１】
映像信号を入力する入力手段と、
前記入力手段から前記映像信号を受信し、これを画像データに変換する変換手段と、
前記画像データを一時的に記録する第１の記録手段と、
前記画像データを保持する第２の記録手段と、
所定の指示に応じて、前記第１の記録手段に記録されている前記画像データを前記第２の記録手段に取り込む処理を開始するよう制御するとともに、少なくとも前記取り込み処理が終了するまで、新たに入力した前記映像信号を前記変換手段に提供しないよう前記入力手段を制御する制御手段とを有することを特徴とするテレビジョン受像機。
【請求項２】
請求項１に記載のテレビジョン受像機において、
可搬型記録メディアにデータを出力するためのインタフェース手段を有し、
前記制御部が、前記所定の指示に応じてさらに、前記第２の記録手段に取り込まれた前記画像データを、必要に応じて所定のフォーマットに変換し、前記インタフェース手段を介して前記可搬型記録メディアに出力することを特徴とするテレビジョン受像機。
【請求項３】
請求項１に記載のテレビジョン受像機において、
前記取り込み処理は、前記第１の記録手段に記録されている画像データを複数の画素部分に分割し、前記画素部分を、それぞれ異なるタイミングで前記第２の記録手段に転送することを特徴とするテレビジョン受像機。
【請求項４】
請求項１に記載のテレビジョン受像機において、
前記映像信号がインタレース方式の信号である場合に、奇数走査線の映像信号から得られる第１の画像データと、偶数走査線の映像信号から得られる第２の画像データとが、前記第１の記録手段の別の領域に記録され、
前記取り込み処理は、前記第１の画像データと前記第２の画像データをそれぞれの前記領域から交互に前記第２の記録手段に転送することを特徴とするテレビジョン受像機。
【請求項５】
請求項１に記載のテレビジョン受像機において、
前記第１の記録手段としてスキャンコンバータを使用することを特徴とするテレビジョン受像機。
【請求項６】
請求項１に記載のテレビジョン受像機において、
前記入力手段に入力される映像信号が、アナログ映像信号またはディジタル映像信号であること特徴とするテレビジョン受像機。
【請求項７】
映像信号を入力するステップと、
前記入力ステップで入力された前記映像信号を受信し、これを画像データに変換するステップと、
前記画像データを第１の記録手段に一時的に記録するステップと、
所定の指示に応じて、前記第１の記録手段に記録されている前記画像データを第２の記録手段に取り込む処理を開始するよう制御するとともに、少なくとも前記取り込み処理が終了するまで前記入力ステップを停止し、新たな前記映像信号を前記変換ステップに提供しないよう前記入力ステップを制御するステップとを有することを特徴とする映像信号処理方法。
【請求項８】
請求項７に記載の映像信号処理方法において、
前記制御ステップが、前記所定の指示に応じてさらに、前記第２の記録手段に取り込まれた前記画像データを、必要に応じて所定のフォーマットに変換し、可搬型記録メディアに出力することを特徴とする映像信号処理方法。
【請求項９】
請求項７に記載の映像信号処理方法において、
前記取り込み処理は、前記第１の記録手段に記録されている画像データを複数の画素部分に分割し、前記画素部分を、それぞれ異なるタイミングで前記第２の記録手段に転送することを特徴とする映像信号処理方法。
【請求項１０】
請求項７に記載の映像信号処理方法において、
前記映像信号がインタレース方式の信号である場合に、奇数走査線の映像信号から得られる第１の画像データと、偶数走査線の映像信号から得られる第２の画像データとが、前記第１の記録手段の別の領域に記録され、
前記取り込み処理は、前記第１の画像データと前記第２の画像データをそれぞれの前記領域から交互に前記第２の記録手段に転送することを特徴とする映像信号処理方法。
【請求項１１】
請求項７に記載の映像信号処理方法において、
前記第１の記録手段としてスキャンコンバータを使用することを特徴とする映像信号処理方法。
【請求項１２】
請求項７に記載の映像信号処理方法において、
前記入力ステップで入力される映像信号が、アナログ映像信号またはディジタル映像信号であること特徴とする映像信号処理方法。
【発明の詳細な説明】
【技術分野】
【０００１】
この発明は、テレビジョン受像機のモニタに表示されている画像を、ユーザの指示に基づいて可搬型の記録メディアに記録するテレビジョン受像機および映像信号処理方法に関する。
【背景技術】
【０００２】
テレビジョン受像機を介して放送番組を視聴するユーザは、テレビジョン受像機のモニタに表示されている番組の一場面の内容をメモしておきたいと希望する場合がある。例えば、料理のレシピや、視聴者プレゼントの問題、応募先の情報等である。ユーザは、このような場面が現れると、モニタを見ながらその内容について急いでメモを取ったり、番組をビデオ録画しておいて、後でその画像が表示されるまで巻き戻し、一時停止させて見るといった動作をとっていた。
【０００３】
こうしたユーザの煩わしさを解消するためには、ユーザがリモートコントロールコマンダ（以降、「リモコン」と称する）等によって所定の指示をした場合に、表示されている画像の内容を内蔵メモリに記録し、ユーザの別の指示によってその画像をモニタ上に再表示するようにテレビジョン受像機を構成することが考えられる。
【０００４】
しかしながら、この情報が、可搬型の記録メディアに記録されていれば、当該情報をパーソナルコンピュータ、ＰＤＡ、携帯電話等の装置を用いて様々な場所で見ることができ、ユーザの利便性は一層向上する。
【０００５】
特許文献１には、外部メディアが挿入されるスロットを備え、ユーザのリモコン操作等に応じて、その外部メディアに番組の画像を所定のデータ形式で記録する表示装置が開示されている。
【０００６】
【特許文献１】特開２００２−３５４３８７号公報
【発明の開示】
【発明が解決しようとする課題】
【０００７】
しかしながら、ユーザは、視聴している画像を記録しようとして、その画像が表示されているタイミングでリモコン等を操作し、その画像を記録するように指示をしても、表示されている画像が適切に記録できない場合がある。
【０００８】
通常、アナログ映像信号は、Ａ／Ｄ（Analog to Digital）変換され、一旦、画像保持用メモリに記録された後、所定のデータ形式に変換されて可搬型の記録メディアに転送される。画像の記録が適切に行われない第１の要因は、画像の表示周波数と当該画像保持用メモリの動作周波数の違いである。表示画像のリフレッシュレート（垂直同期周波数）は、例えば、ＮＴＳＣ（National Television System Committee）方式では、順次走査（ノンインタレース）の場合３０Ｈｚであるため、画像データ（フレーム）は１／３０秒の間隔で提供される。レシピの紹介等の画像であれば、ユーザが、画像記録の指示をした後も同内容のフレームの表示が続く可能性があるが、上記メモリの動作周波数が表示周波数に比べて低い場合、実際にメモリに記録されるフレームがいくつか後のものとなり、ユーザが希望する画像が記録されない場合もある。
【０００９】
第２の要因は、画像保持用メモリへの信号線の配線の問題である。例えば、最大のバス幅が小さく、１フレーム分の画像データの転送に多くのサイクルを必要とする場合、転送の途中で別のフレームが提供されてしまい、ユーザの指示した画像が適切にメモリに記録されない事態が生じうる。また、第１の要因と第２の要因の組み合わせによって、適切な画像の記憶ができない場合も考えられる。
【００１０】
第３の要因は、番組の映像信号が飛び越し走査（インタレース）である場合の処理の問題である。インタレースは、できるだけ少ない情報量で、解像度を高く、かつ動きを滑らかにするための走査方法であり、ＮＴＳＣの場合、１／３０秒毎の１つのフレームを２つに分け、最初の１／６０秒間は奇数番目の走査線だけを表示し、後の１／６０秒間は偶数番目の走査線だけを表示するものである。
【００１１】
従って、このフレームの画像データを所定のタイミングで画像保持用メモリに記録すると、奇数番目の走査線に関するデータのみ、あるいは、偶数番目の走査線に関するデータのみが記録され、結果的に非常に見づらい（１行おきの）表示画像がユーザに提供されることになる。
【００１２】
従って、この発明の目的は、ユーザが指示したテレビジョン放送の表示画像を適切に記録メディアに記録することを可能とするテレビジョン受像機および映像信号処理方法を提供することにある。
【課題を解決するための手段】
【００１３】
この発明は、映像信号を入力する入力手段と、入力手段から映像信号を受信し、これを画像データに変換する変換手段と、画像データを一時的に記録する第１の記録手段と、画像データを保持する第２の記録手段と、所定の指示に応じて、第１の記録手段に記録されている画像データを第２の記録手段に取り込む処理を開始するよう制御するとともに、少なくとも取り込み処理が終了するまで、新たに入力した映像信号を変換手段に提供しないよう入力手段を制御する制御手段とを設けるように構成されたテレビジョン受像機である。
【００１４】
また、この発明は、映像信号を入力するステップと、入力ステップで入力された映像信号を受信し、これを画像データに変換するステップと、画像データを第１の記録手段に一時的に記録するステップと、所定の指示に応じて、第１の記録手段に記録されている画像データを第２の記録手段に取り込む処理を開始するよう制御するとともに、少なくとも取り込み処理が終了するまで入力ステップを停止し、新たな映像信号を変換ステップに提供しないよう入力ステップを制御するステップとを有するように構成された映像信号処理方法である。
【発明の効果】
【００１５】
この発明によれば、ユーザが指示したテレビジョン放送の画像を、適切に記録メディアに記録することができる。また、画像の表示周波数と画像保持用の中間メモリの動作周波数が異なる場合、当該中間メモリのバス幅が小さい場合、および映像信号がインタレース方式である場合等であっても、ユーザの指示した画像が、記録メディアに適切に記録される。
【発明を実施するための最良の形態】
【００１６】
最初に、図１を参照して、この発明の一実施形態について説明する。図１のテレビジョン受像機１は、映像信号入力制御部２、映像信号コンバータ３、モニタ４、画像保持メモリ５、ＪＰＥＧエンコーダ６、記録メディアインタフェース（Ｉ／Ｆ）７、制御部８、およびリモコン信号受信部９を有する。映像信号入力制御部２には、例えば、輝度信号（Ｙ）、色差信号（ＣＢ、ＣＲ）からなるコンポーネント信号により構成されるアナログの映像信号１０が提供される。
【００１７】
制御部８はＣＰＵ、ＲＡＭ／ＲＯＭ、メモリ等からなり、メモリにロードされたプログラムの指令に基づいて各構成要素の制御を行う。また、上記プログラムは、ネットワークを介して、あるいは所定のタイプの記録媒体を介して、テレビジョン受像機１の所定の記憶領域に記憶されうる。制御部８が制御する対象となる構成要素は、図１中、制御部８と点線により接続されている。
【００１８】
ここで、映像信号入力制御部２は入力手段に対応し、映像信号コンバータ３は、変換手段および第１の記録手段に対応し、画像保持メモリ５は第２の記録手段に対応し、制御部８は制御手段に対応し、記録メディアＩ／Ｆ７は、インタフェース手段に対応する。
【００１９】
テレビジョン受像機１では、映像信号入力制御部２が、入力した映像信号１０をそのまま映像信号コンバータ３に出力し、映像信号コンバータ３は、これをモニタ４に提供し、モニタ４に画像が表示される。映像信号コンバータ３は、映像信号１０を一旦、ディジタル変換してフレームメモリに記憶し、異なる解像度やタイミングでモニタ４に出力することもできる。
【００２０】
ユーザは、モニタ４に表示された画像を記録しておきたい場合、リモコン１１を用いて、その画像を記録メディア１２に記録するよう指示を行う。ここで、記録メディア１２は、例えば、可搬型のメモリーカードであり、代表的なものとしてメモリースティック（商品名）がある。テレビジョン受像機１は、記録メディア１２が差し込まれるスロット（不図示）を備え、そのスロットは、記録メディアＩ／Ｆ７に接続される。
【００２１】
リモコン１１は、ユーザから指示があった場合、例えば、この指示に応じた赤外線信号をテレビジョン受像機１のリモコン信号受信部９に送出する。リモコン信号受信部９は、リモコン１１からの信号を受け取ると、この内容を解釈し、制御部８に当該内容に対応するコードデータを送信する。制御部８は、このコードデータを受け取ると、即ち、ユーザから画像を記録する指令を受け取ると、各構成要素を制御して、モニタ４に表示されたものと同一の画像をＪＰＥＧ（Joint Photographic Experts Group）形式に変換し、記録メディア１２に記録する。この制御部８を中心とした各構成要素の動作は、後で図４のフローチャートを参照して詳細に説明する。
【００２２】
図２は、モニタ４に表示された画像の例である。画像２０は、番組の内容が表示されている番組表示部２１と、各種指示ボタン、即ち、画面メモボタン２２、画面保存（本体）ボタン２３、および画面保存（外部）ボタン２４から構成される。ユーザは、例えば、番組表示部２１に表示されたレシピ等の内容を詳細に見たい場合、例えば、上記指示ボタンの何れかをリモコン１１によって選択する。
【００２３】
画面メモボタン２２が選択された場合、番組表示部２１の表示内容が所定の時間だけモニタ４に表示されたままの状態となり、ユーザは、その間、詳細に検討し、メモ等をとることができる。画面保存（本体）ボタン２３が選択されると、その時点で画像２０または番組表示部２１に表示されていた内容が、テレビジョン受像機１の内蔵メモリ等に記憶され、後で、ユーザがリモコン等を操作することにより、モニタ４に再び表示させることができる。
【００２４】
画面保存（外部）ボタン２４が選択されると、番組表示部２１の表示内容が所定の時間だけモニタ４に表示されたままの状態となり、その画像２０または番組表示部２１に表示されていた内容が、テレビジョン受像機１のスロットに差し込まれた記録メディア１２内に記録される。
【００２５】
ユーザは、画面メモボタン２２や画面保存（本体）ボタン２３を選択した場合は、その時点で番組表示部２１に表示されていた内容をテレビジョン受像機１のモニタ４で再度見ることができる。しかしながら、画面保存（外部）ボタン２４を選択した場合は、番組表示部２１の表示内容が所定のデータ形式で記録メディア１２に記録されるため、その記録メディア１２に記録されたデータを読み取り、当該データ形式で表示できる機器であればどのようなものでもその表示内容を表示させることができ、ユーザはテレビジョン受像機１を使用して表示内容を見る必要がない。
【００２６】
次に、図３を参照して、テレビジョン受像機１の映像信号コンバータ３の構成について説明する。映像信号コンバータ３は、受信した映像信号の変換を行うものであり、同期信号分離回路３１、変換制御部３２、Ａ／Ｄ（Analog to Digital）コンバータ３３、フレームメモリ３４、３５、メモリ切換回路３６、およびＤ／Ａ（Digital to Analog）コンバータ３７を有する。また、ここでは、映像信号１０は、アナログ信号として提供されることを前提とする。
【００２７】
変換制御部３２はＣＰＵ、ＲＡＭ／ＲＯＭ、メモリ等からなり、メモリにロードされたプログラムの指令に基づいて各構成要素の制御を行う。また、上記プログラムは、ネットワークを介して、あるいは所定のタイプの記録媒体を介して、テレビジョン受像機１の所定の記憶領域に記憶されうる。変換制御部３２のが制御対象は、図３中、変換制御部３２と点線により接続されている。
【００２８】
この実施形態では、映像信号コンバータ３は、大きく２つの機能を有する。１つは、入力した映像信号１０をディジタル信号に変換するディジタル変換機能であり、もう１つは、インタレース信号が入力された場合でも適切な表示画面を記録できるようにするインタレース変換機能である。
【００２９】
ディジタル変換機能は、主としてＡ／Ｄコンバータ３３によって実現される。アナログ信号である映像信号１０はＡ／Ｄコンバータ３３に入力され、映像信号１０に含まれる水平同期信号と垂直同期信号は、同期信号分離回路３１と変換制御部３２を介してＡ／Ｄコンバータ３３に提供される。一方、例えば、１０ＭＨｚのパルス発振器から生成される画素分割クロックが、変換制御部３２からＡ／Ｄコンバータ３３に提供される。Ａ／Ｄコンバータ３３は、提供された水平同期信号と垂直同期信号から映像信号１０の各走査線を把握し、さらに画素分割クロックを用いて１走査線の画素を把握する。各画素は、所定のルールで所定数のビットデータに量子化される。
【００３０】
このようにしてディジタル化された映像データは、フレームメモリ３４、３５を介してメモリ切換回路３６に提供される。メモリ切換回路３６に記録された映像データは、再びＤ／Ａコンバータ３７でアナログ信号に変換され、モニタ４に送信される。後述するように、ユーザが画像を記録する旨の指示をした場合は、新しい映像信号１０の提供が停止されるので、フレームメモリ３４、３５には同じ内容の画像データが保持されている。このため、モニタ４には、ユーザが画像を記録する旨の指示をしてから所定の期間、同じ画像が表示されることになる。
【００３１】
また、メモリ切換回路３６に記録された画像データは、ユーザが画像を記録する旨の指示をした場合、図１に示す画像保持メモリ５にも提供される。
【００３２】
次に、インタレース変換機能について説明する。インタレース方式では、上述の通り、奇数番目の走査線の画像信号と偶数番目の走査線の画像信号とが、例えば、１／６０秒の間隔で交互に送信されてくるので、一時点における映像信号のみをディジタル化し、記録メディア１２に記録しても１行おきの走査線から構成される画像データとなり、見やすいものとはならない。
【００３３】
そこで、映像信号１０がインタレース方式の信号である場合、変換制御部３２は、水平同期信号と垂直同期信号から、例えば、奇数番目の走査線からなる画像データをフレームメモリ３４、偶数番目の走査線からなる画像データをフレームメモリ３５に記憶するよう、Ａ／Ｄコンバータ３３、フレームメモリ３４、およびフレームメモリ３５を制御する。この後、変換制御部３２は、メモリ切換回路３６を制御して、フレームメモリ３４からの映像データとフレームメモリ３５からの映像データを１行づつ交互に出力する。これによって、インタレースの映像信号１０は、実質的にはノンインタレースの映像信号に変換され、画像保持メモリ５へは、常に適切な画像が提供されるようになる。
【００３４】
また、このように、奇数番目の走査線および偶数番目の走査線の両方の画像データを有するように変換されたデータは、再びＤ／Ａコンバータ３７によってアナログ化され、モニタ４に出力されうる。
【００３５】
図３に示す映像信号コンバータ３は、上述の通り、インタレース方式の映像信号が入力された場合に適切な画像データが得られるように構成されている。しかしながら、インタレース方式の映像信号が入力されることがなければ、フレームメモリ（３４、３５）を２つ持つ必要はなく、メモリ切換回路３６も不要となる。
【００３６】
ここでは、映像信号コンバータ３を図３に示した構成のものとして説明したが、上述した機能を実現できる限り、他の様々な構成を考えることができ、図３の構成に限定されるものではない。また、前記映像信号コンバータ３は、アナログの映像信号１０を取り扱う構成となっているが、この発明のテレビジョン受像機１を、アナログ映像信号を受信し表示するものに限る必要はなく、例えば、ディジタル放送を受信する機能を含んでいても良い。その場合、映像信号コンバータ３には、復調および復号がされた画像データ（例えば、ＭＰＥＧ（Moving Picture Experts Group）形式のデータ）が映像信号１０として提供され、同期信号分離回路３１、およびＡ／Ｄコンバータ３３は不要となり、替わりに、例えば、上記ＭＰＥＧデータから各フレームを構成し、そのフレームが記録されるフレームメモリ（３４、３５）を選択する機能を有した手段等が必要となる。
【００３７】
次に、図４のフローチャートを参照して、ユーザがリモコン１１を用いて表示画像の記録を指示してから、記録メディア１２に画像が記録されるまでのテレビジョン受像機１の処理の一例を説明する。この処理は、制御部８の制御によって実行され、さらに、例えば、テレビジョン受像機１の主電源が投入されたときに開始され、切られたときに終了する。
【００３８】
ステップＳ１において、ユーザから、テレビジョン受像機１のモニタ４に表示された画像を記録する旨の指示があったかどうかが判定される。ユーザからの当該指示はリモコン１１を用いて行われる。リモコン１１から送出される赤外線信号は、前述の通り、リモコン信号受信部９で受信され、その赤外線信号の内容に応じたコードデータが制御部８に伝えられる。制御部８は、当該コードデータに基づいて上記判定を行う。ステップＳ１で指示がない場合は、ユーザによるリモコン１１の操作を待つようにループする。
【００３９】
ステップＳ２において、制御部８は、映像信号入力制御部２を制御して、映像信号１０が所定の期間、映像信号コンバータ３に提供されないように制御する。これにより、映像信号コンバータ３は、新たな映像信号１０が入力されないために、同じ出力信号をモニタ４に提供し続け、その結果、モニタ４には同じ画像、即ち、ユーザが記録をさせようとした画像が表示されたままとなる。また、画像保持メモリ５に対する出力信号も同じ周期で固定値をとることとなる。
【００４０】
ステップＳ３において、映像信号コンバータ３の出力信号が画像保持メモリ５に取り込まれる。この出力信号は、図３のメモリ切換回路３６から提供されるディジタルデータである。前述したように、映像信号１０がインタレースの場合は、実質的にノンインタレースに変換された後に提供される。ここで、前述の、映像信号１０の提供が停止される上記所定の期間は、例えば、映像信号コンバータ３の出力信号（フレームメモリ（３４、３５）内の画像データ）が全て画像保持メモリ５に取り込まれるまでの期間である。また、制御部８は、映像信号コンバータ３から画像保持メモリ５へのデータ転送が全て終了したことを判定した後で、映像信号コンバータ３への映像信号１０の提供を再開させるよう、映像信号入力制御部２を制御しても良い。
【００４１】
ステップＳ４において、画像保持メモリ５に記憶された画像データをＪＰＥＧ形式にエンコードする。これは、図１に示すＪＰＥＧエンコーダ６によって行われる。この実施形態においては、ディジタル化された画像データがＪＰＥＧ形式にエンコードされているが、この形式に限定される必要はなく、用途等に応じて他の様々なデータ形式を選択しうる。
【００４２】
ステップＳ５においては、ＪＰＥＧエンコーダ６によって生成されたＪＰＥＧ画像を記録メディア１２に記憶する。記録メディア１２は、テレビジョン受像機１が備えるスロットに差し込まれ、当該スロットに接続された記録メディアＩ／Ｆ７を介してＪＰＥＧ画像のデータが転送される。
【００４３】
前述したように、ユーザがリモコン１１によって画像の記録を指示した場合に、映像信号１０が所定の期間、映像信号コンバータ３に提供されないように制御され、そのために、画像保持メモリ５に提供される出力信号も同じ周期で固定値をとる。このことによって、画像保持メモリ５の動作周波数が低い場合や、映像信号コンバータ３と画像保持メモリ５との間のバス幅が小さい、即ち両者間の転送レートが低い場合であっても、映像信号コンバータ３によってディジタル化された画像データを適切に画像保持メモリ５に記録することができる。
【００４４】
そこで、図５ないし７を参照して、画像保持メモリ５が複数のサイクルで映像信号コンバータ３から画像データを取り込む例について説明する。また、こうした画像保持メモリ５と映像信号コンバータ３の間のデータ転送および動作タイミングは、制御部８によって制御されうる。
【００４５】
最初に、図５を参照すると、映像信号コンバータ３の所定の領域に記録されている１９２０の水平画素（走査線）からなる画像データが、３つの画像データ（５０、５１、５２）に等分され、それらが３つのサイクルで順に画像保持メモリ５に取り込まれるサイクル（（１）〜（３））が示されている。各画像データは、６４０の水平画素（行）のデータとして構成されることになる。
【００４６】
画像データ（５０、５１、５２）は、実質的には何れかのフレームメモリ（３４、３５）に記憶され、それらがメモリ切換回路３６を介して出力されるものであるが、ここでは、説明を簡単にするため、所定の領域にまとめて記録されているものとして概略的に表示する。
【００４７】
最初のサイクル（１）では、６４０の水平画素からなる画像データ５０が画像保持メモリ５に取り込まれ、次のサイクル（２）では、画像データ５１が画像保持メモリ５に取り込まれ、既に取り込まれている画像データ５０に隣接して配置される。最後のサイクル（３）では、画像データ５２が画像保持メモリ５に、同様の手順で取り込まれる。このように、画像保持メモリ５は、３つのサイクルを使って画像データ（５０、５１、５２）を取り込むが、この間、映像信号コンバータ３には新たな映像信号１０が提供されないので、画像データ（５０、５１、５２）の内容が変化することはなく、結果的に、画像保持メモリ５には正しく画像データ（５０、５１、５２）が取り込まれる。
【００４８】
図６は、画像保持メモリ５が映像信号コンバータ３から画像データを取り込む別の例を示している。映像信号コンバータ３の所定の領域に記録されている画像データは、第１行６０、第２行６１、第３行６２を一組として、その繰り返しで構成される。最初のサイクル（１）では、全ての第１行６０が画像保持メモリ５に取り込まれる。従って、この場合、画像データは３行おきに取り込まれる。
【００４９】
その後、サイクル（２）で第２行６１が、サイクル（３）で第３行６２が、画像保持メモリ５にそれぞれ取り込まれる。
【００５０】
図７は、映像信号１０がインタレースであった場合の取り込みの例である。映像信号コンバータ３のには、例えば、フレームメモリ３４に奇数行７０の画像データが、フレームメモリ３５に偶数行７１の画像データが記憶されている。最初のサイクル（１）では、フレームメモリ３４のデータ（奇数行７０の画像データ）の全てが画像保持メモリ５に取り込まれる。次のサイクル（２）では、フレームメモリ３５のデータ（偶数行７１の画像データ）の全てが画像保持メモリ５に取り込まれる。
【００５１】
次のサイクル（３）、あるいはその他のタイミング・処理において、サイクル（１）で取り込まれた奇数行７０の画像データとサイクル（２）で取り込まれた偶数行７１の画像データが交互に再配置され、適当な画像データの配置とされる。図３に関して、メモリ切換回路３６がフレームメモリ３４、３５から交互に画像データを選択することによって、適切な画像データが得られることを説明したが、図７に示すデータ転送の例では、メモリ切換回路３６を介さずに、各フレームメモリ３４、３５から直接全ての画像データが転送される。
【００５２】
図５ないし７では、複数のサイクルで画像保持メモリ５への取り込みが行われる例を示したが、可能であれば１回の転送処理で全ての画像データを取り込んでも良い。例えば、１９２０×１０８０の画素を有する画像データが、映像信号コンバータ３から画像保持メモリ５へ、１回で転送されうる。
【００５３】
また、この実施形態では、映像信号コンバータ３と称している構成要素の替わりに、既知のスキャンコンバータを用いることも可能である。即ち、図３のフレームメモリ３４、３５の替わりに、スキャンコンバータが備えるメモリが使用される。一般的に、スキャンコンバータは、受信した映像信号の走査周波数を変換することで、当該映像信号を他の機器でも取り扱うことができるようにするものである。例えば、ＮＴＳＣやＰＡＬ（Phase Alternation by Line）フォーマットのテレビジョン／ビデオ信号をハイビジョン映像にアップ変換したり、ワークステーションのアナログＲＧＢ信号をハイビジョン映像にダウン変換する機能を有する。また、インタレースの映像信号とノンインタレースの映像信号とを交互に変換したり、映像のズーム／パンや、トリミングを実行する機能を有するように構成することも可能である。
【００５４】
また、この実施形態では、映像信号１０の映像信号コンバータ３への提供を制御するために、映像信号入力制御部２を設けているが、所定の制御の下で映像信号１０の提供を停止できればよく、そのような機能を映像信号コンバータ３、あるいは上記スキャンコンバータ内に設けてもよい。
【００５５】
さらに、この実施形態においては、モニタ４に表示された画像を見たユーザが、リモコン１１を操作して、テレビジョン受像機１に、その表示画像の記録をするように指示するものであるが、このようなユーザからの指示をトリガーとするものに限る必要はない。例えば、日時、チャンネル等の一定条件を満たした場合に自動的に表示画像の記録をするように設定し、ユーザの直接的な操作を介在させないで上記記録処理を実施させることも可能である。
【００５６】
また、この発明の特徴の一つは、ユーザ等から画像を記録する旨の指示があった場合に、映像信号コンバータ３への映像信号１０の供給を一時的に停止させることであるため、図１に示されているような記録メディア１２への画像データの出力は必須ではない。従って、指示された画像を画像保持メモリ５に保持しておき、例えば、図２に示した画面保存（本体）ボタン２３の選択によって再びモニタ４に表示させる機能を有し、記録メディアへのインタフェースを有さないテレビジョン受像機もこの発明の他の実施形態として考えられる。
【図面の簡単な説明】
【００５７】
【図１】この発明の一実施形態に係るテレビジョン受像機の構成を表すブロック図である。
【図２】この発明の一実施形態に係るテレビジョン受像機のモニタに表示される画像の例を示す略線図である。
【図３】図１に示すテレビジョン受像機の映像信号コンバータの構成を表すブロック図である。
【図４】この発明の一実施形態に係るテレビジョン受像機でユーザが画像の記録指示をした場合の動作を示すフローチャートである。
【図５】映像信号コンバータ内から画像保持メモリに画像データを取り込む手順の一例を示す略線図である。
【図６】映像信号コンバータ内から画像保持メモリに画像データを取り込む手順の一例を示す略線図である。
【図７】映像信号コンバータ内から画像保持メモリに画像データを取り込む手順の一例を示す略線図である。
【符号の説明】
【００５８】
１・・・テレビジョン受像機、２・・・映像信号入力制御部、３・・・映像信号コンバータ、４・・・モニタ、５・・・画像保持メモリ、６・・・ＪＰＥＧエンコーダ、８・・・制御部、１０・・・映像信号、１２・・・記録メディア
【図１】
2005094388.tif 000003
【図２】
2005094388.tif 000004
【図３】
2005094388.tif 000005
【図４】
2005094388.tif 000006
【図５】
2005094388.tif 000007
【図６】
2005094388.tif 000008
【図７】
2005094388.tif 000009